(57)【要約】【課題】簡単に各送信ストリームに最適な変調・符号化方式を選択すること。【解決手段】複数の下り送信ストリームのＣＱＩを復号するＣＱＩ情報復号部１０１と、下り送信ストリーム数Ｎに応じたＮ次元のテーブルであって、各下り送信ストリームのＣＱＩに応じた複数の下り送信ストリーム間の変調・符号化方式の組み合わせを定めたテーブル（２次元参照テーブル１０２１）を有し、ＣＱＩ情報復号部１０１で復号された各下り送信ストリームのＣＱＩに基づいて複数の下り送信ストリーム間の変調・符号化方式の組み合わせを選択するＭＣＳ選択部１０２とを具備することを特徴とする。【選択図】図１
2010200218.tif 000002
【特許請求の範囲】
【請求項１】
複数の下り送信ストリームのＣＱＩを復号する復号手段と、下り送信ストリーム数Ｎに応じたＮ次元のテーブルであって、各下り送信ストリームのＣＱＩに応じた複数の下り送信ストリーム間の変調・符号化方式の組み合わせを定めたテーブルを有し、前記復号手段で復号された各下り送信ストリームのＣＱＩに基づいて複数の下り送信ストリーム間の変調・符号化方式の組み合わせを選択する選択手段とを具備することを特徴とする無線基地局装置。
【請求項２】
前記テーブルは、変調方式の組み合わせが異なる複数の下り送信ストリーム間の変調・符号化方式の組み合わせを定める複数のテーブル領域を有し、隣接する前記テーブル領域間で変調・符号化方式の組み合わせを選択する際のＣＱＩの閾値に差異を設けたことを特徴とする請求項１記載の無線基地局装置。
【請求項３】
前記テーブル領域は、符号化率の組み合わせが異なる複数の下り送信ストリーム間の変調・符号化方式の組み合わせを定める複数の分割領域に分割されることを特徴とする請求項２記載の無線基地局装置。
【請求項４】
前記テーブルは、各下り送信ストリームのＣＱＩが相対的に低い一部の分割領域における変調・符号化方式の組み合わせを選択する際のＣＱＩの閾値を隣接する前記テーブル領域間で共通化したことを特徴とする請求項３記載の無線基地局装置。
【請求項５】
複数の下り送信ストリームのＣＱＩを復号する復号手段と、各下り送信ストリームのＣＱＩに応じた変調・符号化方式を定めたテーブルを有し、前記復号手段で復号されたＣＱＩが小さい下り送信ストリームから順次、当該下り送信ストリームのＣＱＩに応じた変調・符号化方式を選択する選択手段とを具備することを特徴とする無線基地局装置。
【請求項６】
前記選択手段は、先行して選択した下り送信ストリームの変調・符号化方式と、前記復号手段で復号されたＣＱＩとに応じて後続する下り送信ストリームの変調・符号化方式を選択することを特徴とする請求項５記載の無線基地局装置。
【請求項７】
前記選択手段は、先行して選択した下り送信ストリームの変調・符号化方式の種別に応じた変調・符号化方式を定めた複数の前記テーブルを有し、先行して選択した下り送信ストリームの変調・符号化方式の種別に応じて前記テーブルを選択して後続する下り送信ストリームの変調・符号化方式を選択することを特徴とする請求項６記載の無線基地局装置。
【請求項８】
複数の下り送信ストリームのＣＱＩを復号するステップと、下り送信ストリーム数Ｎに応じたＮ次元のテーブルであって、各下り送信ストリームのＣＱＩに応じた複数の下り送信ストリーム間の変調・符号化方式の組み合わせを定めたテーブルから、前記復号された各下り送信ストリームのＣＱＩに基づいて複数の下り送信ストリーム間の変調・符号化方式の組み合わせを選択するステップとを具備することを特徴とする変調・符号化方式選択方法。
【請求項９】
複数の下り送信ストリームのＣＱＩを復号するステップと、各下り送信ストリームのＣＱＩに応じた変調・符号化方式を定めたテーブルに基づいて、前記復号されたＣＱＩが小さい下り送信ストリームから順次、当該下り送信ストリームのＣＱＩに応じた変調・符号化方式を選択するステップとを具備することを特徴とする変調・符号化方式選択方法。
【発明の詳細な説明】
【技術分野】
【０００１】
本発明は、無線基地局装置及び変調・符号化方式選択方法に関し、特に、マルチインプットマルチアウトプット（ＭＩＭＯ）方式及び適用変調チャネル符号化（ＡＭＣ）方式を使用する無線基地局装置及び変調・符号化方式選択方法に関する。
【背景技術】
【０００２】
近年、無線通信の高速大容量化の観点から、ＭＩＭＯ（Multiple  Input  Multiple  Output）方式の通信技術が注目されている。このＭＩＭＯ方式においては、複数の送信ストリームの信号が空間内をそれぞれ別様に伝搬するようにすることで、伝送速度及び信号品質の向上を図るものである。受信側では、このような複数の送信ストリームを適切に分離して受信信号を得る必要がある。複数の送信ストリームから最も良好な特性を実現する信号分離法として、最尤推定検出（ＭＬＤ：Maximum  Likelihood  Detection）信号分離法が知られている。
【０００３】
このＭＬＤ信号分離法においては、同時に送信された複数の送信ストリーム中の複数のシンボルを一まとめにしたシンボル群を想定し、全ての可能なシンボル群のうち、最も確からしいシンボル群を特定することで、送信された複数のシンボルを推定する。具体的には、実際の受信信号と、チャネル変動の影響を受けたシンボル群との間の距離（シンボルコンステレーション内でのユークリッド距離の二乗で評価される）の最も小さいシンボル群が、最終的にＭＬＤ信号分離法で検出されるシンボル群とされる。
【０００４】
また、このＭＩＭＯ方式において、時間と共に変化するチャネル状態に応じて適切な伝送レートで伝送することで、システム全体のスループットを改善する観点から、適応変調チャネル符号化（ＡＭＣ：Adaptive  Modulation  and  Coding）が行われている。このＡＭＣにおいては、チャネル状態に応じて相応しい伝送レートを達成可能な変調・符号化方式（ＭＣＳ：Modulation  and  Coding  Scheme）が選択される。
【０００５】
ＭＩＭＯ方式においては、送信ストリーム数が複数存在し、それぞれの送信ストリームが別様のチャネル状態（即ち、伝送路）で伝送されることとなる。このような送信ストリーム毎のＭＣＳを選択する際の処理を簡素化する技術として、各種のＭＣＳと、全ての送信ストリームで同一の変調方式を用いたと仮定した場合におけるＣＱＩ（Channel  Quality  Indicator）（受信ＳＩＮＲ）及び誤り率特性とを対応づけて定めたテーブルを用意しておき、それぞれの送信ストリームから測定されるＣＱＩに応じてＭＣＳを選択する手法が提案されている（例えば、非特許文献１参照）。
【先行技術文献】
【非特許文献】
【０００６】
【非特許文献１】N.  Maeda,  T.  Kataoka,  J.  Kawamoto,  K.  Higuchi,  and  M.  Sawahashi,  “Experiments  on  real-time  1Gbps  packet  transmission  using  antenna-independent  AMC  in  MIMO-OFDM  broadband  packet  radio  access,”  in  Proc.  IEEE  VTC2005-Fall,  vol.  3,  pp.  1628-1632,  Sept.  2005.
【発明の概要】
【発明が解決しようとする課題】
【０００７】
しかしながら、上述した非特許文献１記載の手法によれば、ＭＣＳを選択する際の処理を簡素化することができるものの、各送信ストリーム間に存在する受信レベル差が大きい場合にそれぞれの送信ストリームに最適なＭＣＳを選択することができず、システム全体におけるスループットを低下させてしまう。このため、このような不具合を起こさずに簡単に各送信ストリームに最適なＭＣＳを選択することが要請されている。
【０００８】
本発明はかかる実情に鑑みてなされたものであり、簡単に各送信ストリームに最適なＭＣＳを選択することができる無線基地局装置及び変調・符号化方式選択方法を提供することを目的とする。
【課題を解決するための手段】
【０００９】
本発明の無線基地局装置は、複数の下り送信ストリームのＣＱＩを復号する復号手段と、下り送信ストリーム数Ｎに応じたＮ次元のテーブルであって、各下り送信ストリームのＣＱＩに応じた複数の下り送信ストリーム間の変調・符号化方式の組み合わせを定めたテーブルを有し、前記復号手段で復号された各下り送信ストリームのＣＱＩに基づいて複数の下り送信ストリーム間の変調・符号化方式の組み合わせを選択する選択手段とを具備することを特徴とする。
【００１０】
また、本発明の無線基地局装置は、複数の下り送信ストリームのＣＱＩを復号する復号手段と、各下り送信ストリームのＣＱＩに応じた変調・符号化方式を定めたテーブルを有し、前記復号手段で復号されたＣＱＩが小さい下り送信ストリームから順次、当該下り送信ストリームのＣＱＩに応じた変調・符号化方式を選択する選択手段とを具備することを特徴とする。
【発明の効果】
【００１１】
本発明においては、各下り送信ストリームのＣＱＩに応じた複数の下り送信ストリーム間の変調・符号化方式の組み合わせを定めたテーブルから、各下り送信ストリームのＣＱＩに応じて複数の下り送信ストリーム間の変調・符号化方式の組み合わせを選択することから、各下り送信ストリームに最適な変調・符号化方式を一括的に選択することができるので、簡単に各送信ストリームに最適な変調・符号化方式を選択することが可能となる。
【００１２】
本発明においては、各下り送信ストリームのＣＱＩに応じた変調・符号化方式を定めたテーブルに基づいて、ＣＱＩが小さい下り送信ストリームから順次、当該下り送信ストリームのＣＱＩに応じた変調・符号化方式を選択することから、ＣＱＩが大きい下り送信ストリームの変調・符号化方式との依存関係を考慮することなく変調・符号化方式の選択処理を行うことができ、また、先行して選択した下り送信ストリームの変調・符号化方式を参考に変調・符号化方式の選択処理を行うことができるので、簡単に各送信ストリームに最適な変調・符号化方式を選択することが可能となる。
【図面の簡単な説明】
【００１３】
【図１】本発明の実施の形態１に係る無線基地局装置の送信部の構成を示すブロック図である。
【図２】実施の形態１に係る移動局装置の受信部の構成を示すブロック図である。
【図３】実施の形態１に係る無線基地局装置のＭＣＳ選択部が備える２次元参照テーブルの一例を示す模式図である。
【図４】本発明の実施の形態２に係る無線基地局装置のＭＣＳ選択部が備える２次元参照テーブルの一例を示す模式図である。
【図５】本発明の実施の形態３に係る無線基地局装置の送信部の構成を示すブロック図である。
【図６】実施の形態３に係る無線基地局装置のＭＣＳ選択部が備える１次元参照テーブルの内容を説明するための模式図である。
【図７】実施の形態３に係る無線基地局装置のＭＣＳ選択部が備える１次元参照テーブルの内容を説明するための模式図である。
【発明を実施するための形態】
【００１４】
以下、本発明の実施の形態について、添付図面を参照して詳細に説明する。
上述したように、ＭＩＭＯ方式におけるＭＬＤ信号分離法は、同時に送信された複数の送信ストリーム中の複数のシンボルを一まとめにしたシンボル群を想定し、全ての可能なシンボル群のうち、実際の受信信号と、チャネル変動の影響を受けたシンボル群との間の距離（シンボルコンステレーション内でのユークリッド距離の二乗で評価される）の最も小さいシンボル群を特定することで、送信された複数のシンボルを推定するものである。このため、送信された複数のシンボルを適切に推定するためには、一まとめとされたシンボル群を明確に識別する必要がある。
【００１５】
この場合において、一まとめとされるシンボル群は、送信側で選択された変調・符号化方式（ＭＣＳ：Modulation  and  Coding  Scheme）によってそのシンボル数が増減するものである。このようにシンボル数が増減する場合には、送信された複数のシンボルを適切に推定することができない場合が発生し得る。例えば、実際の受信信号と、チャネル変動の影響を受けたシンボル群との間の距離が測定不能となる場合などが該当する。すなわち、システム全体のスループットを考慮すると、ある送信ストリームにおける最適なＭＣＳは、各送信ストリームのＣＱＩのみから独立して得られるものではなく、他の送信ストリームにおけるＭＣＳ（特に、変調方式）にも依存し得るものである。このため、送信側においては、複数の送信ストリームにおけるＭＣＳを選択する際、それらの依存関係を考慮することが好ましい。
【００１６】
本発明者らは上記の点に着目して簡単に各送信ストリームに最適なＭＣＳを選択すべく、本発明をするに至った。すなわち、本発明の骨子は、複数の下り送信ストリームのＣＱＩを測定し、下り送信ストリーム数Ｎに応じたＮ次元のテーブルであって、各下り送信ストリームのＣＱＩに応じた複数の下り送信ストリーム間の変調・符号化方式の組み合わせを定めたテーブルから、上記測定された各下り送信ストリームのＣＱＩに基づいて複数の下り送信ストリーム間の変調・符号化方式の組み合わせを選択することにより、各送信ストリームに最適なＭＣＳを選択することである。
【００１７】
（実施の形態１）
図１は、本発明の実施の形態１に係る無線基地局装置（以下、「基地局」という）１００の送信部の構成を示すブロック図である。図２は、実施の形態１に係る移動局装置（以下、「移動局」という）２００の受信部の構成を示すブロック図である。なお、図１及び図２に示す基地局１００及び移動局２００の構成においては、本発明を説明するために簡略化したものであり、それぞれ通常の基地局及び移動局が有する構成は備えているものとする。また、図１及び図２に示す基地局１００及び移動局２００においては、共に２つの送受信アンテナを備える場合について説明するが、これに限定されるものではなく、３つ以上の送受信アンテナを備えるようにしても良い。
【００１８】
図１に示す基地局１００において、受信信号に含まれたリファレンス信号（参照信号）は、復号手段として機能するＣＱＩ情報復号部１０１に入力される。ＣＱＩ情報復号部１０１は、移動局２００にて広帯域の品質測定用リファレンス信号から測定された下り送信ストリーム（以下、単に「ストリーム」という）についてのＣＱＩを復号する。この場合、ＣＱＩ測定部１０１は、移動局２００からのフィードバックされるストリーム＃１、＃２についてのＣＱＩ（ストリーム＃１ＣＱＩ、ストリーム＃２ＣＱＩ）を復号し、ＭＣＳ選択部１０２及びスケジューラ１０３に出力する。
【００１９】
ＭＣＳ選択部１０２は、選択手段として機能するものであり、ストリーム＃１ＣＱＩ、ストリーム＃２ＣＱＩの値に応じたストリーム＃１、＃２間の最適なＭＣＳの組み合わせを予め定めた２次元参照テーブル１０２１を備え、ＣＱＩ情報復号部１０１から入力されるストリーム＃１ＣＱＩ、ストリーム＃２ＣＱＩに応じて各ストリームに最適なＭＣＳを選択する。そして、選択したＭＣＳを後述する各ストリームに対応するチャネル符号化部１０４及びデータ変調部１０５に出力する。また、ＭＣＳ選択部１０２で選択されたＭＣＳは、下り制御信号生成部に通知され、この下り制御信号生成部により生成された下り制御信号に含めて下りリンクで移動局２００に通知される。
【００２０】
なお、図１に示す基地局１００においては、２つのアンテナによる２つのストリームで無線通信を行うため、ＭＣＳ選択部１０２が２次元参照テーブル１０２１を備える場合について示しているが、ストリーム数が３つ以上になる場合には、それに応じた次元数の参照テーブルに置き換えられる。例えば、ストリーム数がＮ（Ｎは正の整数）の場合には、Ｎ次元参照テーブルがＭＣＳ選択部１０２に備えられる。すなわち、ＭＣＳ選択部１０２には、ストリーム数Ｎに応じたＮ次元のテーブルであって、各送信ストリームのＣＱＩに応じた複数の下り送信ストリーム間のＭＣＳの組み合わせを定めたテーブルが備えられる。
【００２１】
図３は、実施の形態１に係る基地局１００のＭＣＳ選択部１０２が備える２次元参照テーブル１０２１の一例を示す模式図である。ここでは、説明の便宜上、データ変調方式（変調方式）がＱＰＳＫ（Quadrature  Phase  Shift  Keying）及び１６ＱＡＭ（Quadrature  Amplitude  Modulation）で構成され、チャネル符号化率（符号化率）が１／３、１／２及び３／４で構成されるＭＣＳ＃１〜＃６がストリーム＃１ＣＱＩ、ストリーム＃２ＣＱＩに応じて定められた場合について示しているが、変調方式及び符号化率についてはこれらに限定されるものではない。図３に示す２次元参照テーブル１０２１において、ＭＣＳ＃１〜＃３は、変調方式がＱＰＳＫで構成され、符号化率がそれぞれ１／３、１／２及び３／４で構成されている。一方、ＭＣＳ＃４〜＃６は、変調方式が１６ＱＡＭで構成され、符号化率がそれぞれ１／３、１／２及び３／４で構成されている。
【００２２】
２次元参照テーブル１０２１においては、図３に示すように、移動局２からのストリーム＃１、＃２についてのＣＱＩ（ストリーム＃１ＣＱＩ、ストリーム＃２ＣＱＩ）の値に応じて、ストリーム＃１、＃２にそれぞれ選択すべきＭＣＳが指定された複数の領域を有している。特に、２次元参照テーブル１０２１においては、変調方式の組み合わせが異なるストリーム＃１、＃２間のＭＣＳの組み合わせを定める複数の領域（以下、適宜「テーブル領域」という）を有している。そして、このテーブル領域は、符号化率の組み合わせが異なるストリーム＃１、＃２間のＭＣＳの組み合わせを定める複数の領域（以下、適宜「分割領域」という）に分割されている。ここでは、説明の便宜上、これらの複数の分割領域に（１，１）〜（６，６）の番号を付与している。上述したテーブル領域は、例えば、変調方式がストリーム＃１、＃２の両方でＱＰＳＫである領域（１，１）〜（１，３）、（２，１）〜（２，３）及び（３，１）〜（３，３）からなる領域や、変調方式がストリーム＃１で１６ＱＡＭであり、ストリーム＃２でＱＰＳＫである領域（４，１）〜（４，３）、（５，１）〜（５，３）及び（６，１）〜（６，３）からなる領域で構成される。ＭＣＳ選択部１０２は、移動局２からのストリーム＃１、＃２についてのＣＱＩ（ストリーム＃１ＣＱＩ、ストリーム＃２ＣＱＩ）の値で特定される分割領域に指定されたＭＣＳをストリーム＃１、＃２におけるＭＣＳとして選択する。
【００２３】
例えば、ストリーム＃１ＣＱＩ及びストリーム＃２ＣＱＩの値が、領域（１，１）内に属する場合（図３に示す点Ｘで表す）には、ＭＣＳ選択部１０２は、ストリーム＃１にＭＣＳ＃１を選択する一方、ストリーム＃２にＭＣＳ＃１を選択する。この場合、ストリーム＃１ＣＱＩ及びストリーム＃２ＣＱＩの値が相対的に低く、ストリーム＃１、＃２の受信品質状態が良好ではないと判定されることから、ストリーム＃１、＃２において、変調方式としてＱＰＳＫが選択されると共に、符号化率として１／３が選択されることとなる。
【００２４】
また、ストリーム＃１ＣＱＩ及びストリーム＃２ＣＱＩの値が、領域（６，１）内に属する場合（図３に示す点Ｙで表す）には、ＭＣＳ選択部１０２は、ストリーム＃１にＭＣＳ＃６を選択する一方、ストリーム＃２にＭＣＳ＃１を選択する。この場合、ストリーム＃１ＣＱＩの値が相対的に高く、ストリーム＃１の受信品質状態が良好であるものの、ストリーム＃２ＣＱＩの値が相対的に低く、ストリーム＃２の受信品質状態が良好ではないと判定されることから、ストリーム＃１において、変調方式として１６ＱＡＭが選択されると共に、符号化率として３／４が選択され、ストリーム＃２において、変調方式としてＱＰＳＫが選択されると共に、符号化率として１／３が選択されることとなる。
【００２５】
さらに、ストリーム＃１ＣＱＩ及びストリーム＃２ＣＱＩの値が、領域（６，６）内に属する場合（図３に示す点Ｚで表す）には、ＭＣＳ選択部１０２は、ストリーム＃１にＭＣＳ＃６を選択する一方、ストリーム＃２にＭＣＳ＃６を選択する。この場合、ストリーム＃１ＣＱＩ及びストリーム＃２ＣＱＩの値が相対的に高く、ストリーム＃１、＃２の受信品質状態が良好であると判定されることから、ストリーム＃１、＃２において、変調方式として１６ＱＡＭが選択されると共に、符号化率として３／４が選択されることとなる。
【００２６】
なお、図３に示す２次元参照テーブル１０２１においては、上述したテーブル領域のうち、隣接するテーブル領域間でＭＣＳの組み合わせを選択する際のＣＱＩの閾値に差異を設けている。そして、テーブル領域に属する分割領域についても、隣接するテーブル領域に属する分割領域との間でＭＣＳの組み合わせを選択する際のＣＱＩの閾値に差異を設けている。例えば、２次元参照テーブル１０２１においては、領域（１，１）〜（１，３）におけるストリーム＃１ＣＱＩの上限値（閾値）と、領域（１，４）〜（１，６）におけるストリーム＃１ＣＱＩの上限値（閾値）との間において、後者の方を高く設定している。これは、ストリーム＃１ＭＣＳとストリーム＃２ＭＣＳとが依存することにより発生する弊害を回避するために設定されたものであり、より具体的には、ストリーム＃１ＣＱＩ及びストリーム＃２ＣＱＩで選択される変調方式が相違することに起因して、移動局２００における受信信号の分離処理の際に送信された複数のシンボルを適切に推定できない事態を回避するために設定されたものである。すなわち、領域（１，４）〜（１，６）でストリーム＃１のＭＣＳで指定されるＱＰＳＫのシンボルと、ストリーム＃２のＭＣＳで指定される１６ＱＡＭのシンボルとが一まとめとされたシンボル群を明確に識別し、送信された複数のシンボルを適切に推定可能とするために、領域（１，１）〜（１，３）におけるストリーム＃１ＣＱＩの上限値よりもその上限値を高めに設定しているのである。領域（２，１）〜（２，３）、領域（３，１）〜（３，３）、領域（４，１）〜（４，３）、領域（５，１）〜（５，３）及び領域（６，１）〜（６，３）におけるストリーム＃１ＣＱＩの上限値と、領域（２，４）〜（２，６）、領域（３，４）〜（３，６）、領域（４，４）〜（４，６）、領域（５，４）〜（５，６）及び領域（６，４）〜（６，６）におけるストリーム＃１ＣＱＩの上限値との関係についても同様である。
【００２７】
同様に、図３に示す２次元参照テーブル１０２１においては、領域（１，１）〜（３，１）におけるストリーム＃２ＣＱＩの上限値と、領域（４，１）〜（６，１）におけるストリーム＃２ＣＱＩの上限値との間で、後者の方を高く設定している。これは、ストリーム＃１ＣＱＩ及びストリーム＃２ＣＱＩで選択される変調方式が相違することに起因して、移動局２００における受信信号の分離処理の際に送信された複数のシンボルを適切に推定できない事態を回避するためである。すなわち、領域（４，１）〜（６，１）でストリーム＃１のＭＣＳで指定される１６ＱＡＭのシンボルと、ストリーム＃２のＭＣＳで指定されるＱＰＳＫのシンボルとが一まとめとされたシンボル群を明確に識別し、送信された複数のシンボルを適切に推定可能とするために、領域（１，１）〜（３，１）におけるストリーム＃２ＣＱＩの上限値よりもその上限値を高めに設定しているのである。領域（１，２）〜（３，２）、領域（１，３）〜（３，３）、領域（１，４）〜（３，４）、領域（１，５）〜（３，５）及び領域（１，６）〜（３，６）におけるストリーム＃２ＣＱＩの上限値と、領域（４，２）〜（６，２）、領域（４，３）〜（６，３）、領域（４，４）〜（６，４）、領域（４，５）〜（６，５）及び領域（４，６）〜（６，６）におけるストリーム＃２ＣＱＩの上限値との関係についても同様である。
【００２８】
図１に戻り、基地局１００の構成の説明を続ける。スケジューラ１０３には、送信信号を処理する不図示の上位局装置から送信データが入力される。また、スケジューラ１０３には、ＣＱＩ情報復号部１０１で復号されたＣＱＩと、不図示のチャネル推定部で移動局２００からのリファレンス信号の受信状態に基づいて推定された上りリンクのチャネル推定値とが入力される。スケジューラ１０３は、これらのＣＱＩ及びチャネル推定値を参照しながら送信データのスケジューリングを行う。
【００２９】
チャネル符号化部１０４Ａ及びデータ変調部１０５Ａは、ストリーム＃１に関する下り共有チャネル信号（ユーザデータ）生成部の一部を構成し、この下り共有チャネル信号生成部は、スケジューラ１０３により決定されたスケジュール情報に基づいて、上述した上位局装置からの送信データを用いて下り共有チャネル信号を生成する。この下り共有チャネル信号生成部において、チャネル符号化部１０４Ａは、ＭＣＳ選択部１０２からのストリーム＃１についてのＭＣＳ（ストリーム＃１ＭＣＳ）に指定された符号化率に基づいて送信データのチャネル符号化を行う。データ変調部１０５Ａは、ＭＣＳ選択部１０２からのストリーム＃１ＭＣＳに指定された変調方式に基づいて、チャネル符号化部１０４Ａで符号化された送信データの変調を行う。データ変調部１０５Ａにより変調された送信データは、不図示の離散フーリエ変換部で逆フーリエ変換され、時系列の信号から周波数領域の信号に変換されてサブキャリアマッピング部１０６に出力される。
【００３０】
一方、チャネル符号化部１０４Ｂ及びデータ変調部１０５Ｂは、ストリーム＃２に関する下り共有チャネル信号（ユーザデータ）生成部を構成し、この下り共有チャネル信号生成部は、スケジューラ１０３により決定されたスケジュール情報に基づいて、上述した上位局装置からの送信データを用いて下り共有チャネル信号を生成する。この下り共有チャネル信号生成部において、チャネル符号化部１０４Ｂは、ＭＣＳ選択部１０２からのストリーム＃２についてのＭＣＳ（ストリーム＃２ＭＣＳ）に指定された符号化率に基づいて送信データのチャネル符号化を行う。データ変調部１０５Ｂは、ＭＣＳ選択部１０２からのストリーム＃２ＭＣＳに指定された変調方式に基づいて、チャネル符号化部１０４Ｂで符号化された送信データの変調を行う。データ変調部１０５Ｂにより変調された送信データは、サブキャリアマッピング部１０６に出力される。
【００３１】
サブキャリアマッピング部１０６は、チャネル符号化部１０４Ａ及びデータ変調部１０５Ａにより処理されたストリーム＃１に関する送信データ、並びに、チャネル符号化部１０４Ｂ及びデータ変調部１０５Ｂにより処理されたストリーム＃２に関する送信データを、上述したスケジュール情報に応じてサブキャリアにマッピングする。
【００３２】
サブキャリアマッピング部１０６によりマッピングされたストリーム＃１に関する送信データは、逆高速フーリエ変換部（ＩＦＦＴ部）１０７Ａで逆高速フーリエ変換され、周波数領域の信号から時系列の信号に変換された後、サイクリックプレフィックス付与部（ＣＰ付与部）１０８Ａでサイクリックプレフィックスが付与される。なお、サイクリックプレフィクスは、マルチパス伝搬遅延の差を吸収するためのガードインターバルとして機能する。サイクリックプレフィックスが付与された送信データは、無線周波数（ＲＦ）回路１０９Ａで無線周波数帯に変換する周波数変換処理が施されると共に増幅された後、アンテナ１１０Ａを介して下りリンクにて移動局２００に送出される。
【００３３】
一方、サブキャリアマッピング部１０６によりマッピングされたストリーム＃２に関する送信データは、ＩＦＦＴ部１０７Ｂで逆高速フーリエ変換され、周波数領域の信号から時系列の信号に変換された後、サイクリックプレフィックス付与部（ＣＰ付与部）１０８Ｂでサイクリックプレフィックスが付与される。そして、サイクリックプレフィックスが付与された送信データは、ＲＦ回路１０９Ｂで無線周波数帯に変換する周波数変換処理が施されると共に増幅された後、アンテナ１１０Ｂを介して下りリンクにて移動局２００に送出される。
【００３４】
次に、図２を参照して実施の形態１に係る移動局２００の構成について説明する。図２に示す移動局２００において、基地局１００から送信された送信信号は、アンテナ２０１Ａにより受信され、デュプレクサ（Ｄｕｐｌｅｘｅｒ）２０２Ａにて送信経路と受信経路との電気的に分離された後、ＲＦ受信回路２０３Ａに出力される。そして、ＲＦ受信回路２０３Ａにて、無線周波数信号からベースバンド信号に変換する周波数変換処理が施される。さらに、不図示のＣＰ除去部により受信信号に付与されたサイクリックプレフィックスが除去された後、高速フーリエ変換部（ＦＦＴ部）２０４Ａに出力される。
【００３５】
同様に、基地局１００から送信された送信信号は、アンテナ２０１Ｂにより受信され、デュプレクサ（Ｄｕｐｌｅｘｅｒ）２０２Ｂにて送信経路と受信経路との電気的に分離された後、ＲＦ受信回路２０３Ｂに出力される。そして、ＲＦ受信回路２０３Ｂにて、無線周波数信号からベースバンド信号に変換する周波数変換処理が施される。さらに、不図示のＣＰ除去部により受信信号に付与されたサイクリックプレフィックスが除去された後、ＦＦＴ部２０４Ｂに出力される。
【００３６】
受信タイミング推定部２０９は、ＲＦ受信回路２０３Ａ、２０３Ｂから出力された受信信号を取得し、例えば、この受信信号に含まれるリファレンス信号（参照信号）から受信タイミング（ＦＦＴ処理タイミング）を推定し、ＦＦＴ部２０４Ａ、２０４Ｂに通知する。
【００３７】
ＲＦ受信回路２０３Ａからの受信信号は、ＦＦＴ２０４Ａにおいて、受信タイミング推定部２０９から通知された受信タイミングに応じてフーリエ変換され、時系列の信号から周波数領域の信号に変換された後、信号分離部２０５に出力される。同様に、ＲＦ受信回路２０３Ｂからの受信信号は、ＦＦＴ２０４Ｂにおいて、受信タイミング推定部２０９から通知された受信タイミングに応じてフーリエ変換され、時系列の信号から周波数領域の信号に変換された後、信号分離部２０５に出力される。
【００３８】
信号分離部２０５は、ＦＦＴ部２０４Ａ、２０４Ｂから入力された受信信号をＭＬＤ信号分離法により分離する。これにより、基地局１００から到来した受信信号は、ストリーム＃１に関する受信信号と、ストリーム＃２に関する受信信号とに分離される。信号分離部２０５により分離されたストリーム＃１、＃２に関する受信信号は、それぞれ不図示のサブキャリアデマッピング部にてデマッピングされて時系列の信号に戻された後、ストリーム＃１に関する受信信号がデータ復調部２０６Ａに出力され、ストリーム＃２に関する受信信号がデータ復調部２０６Ｂに出力される。
【００３９】
ストリーム＃１に関する受信信号は、データ復調部２０６Ａにおいて、基地局１００から通知されたＭＣＳに含まれる変調方式に基づいてデータ復調された後、チャネル復号部２０７Ａにおいて、基地局１００から通知されたＭＣＳに含まれる符号化率に基づいてチャネル復号されて送信データが再生される。同様に、ストリーム＃２に関する受信信号は、データ復調部２０６Ｂにおいて、基地局１００から通知されたＭＣＳに含まれる変調方式に基づいてデータ復調された後、チャネル復号部２０７Ｂにおいて、基地局１００から通知されたＭＣＳに含まれる符号化率に基づいてチャネル復号されて送信データが再生される。なお、基地局１００からのＭＣＳは、不図示の制御信号復調部により復調された制御信号から取得される。
【００４０】
ＣＱＩ測定部２０８は、ＦＦＴ部２０４Ａから出力された受信信号に含まれるリファレンス信号の受信状態から受信品質を測定すると共に、ＦＦＴ部２０４Ｂから出力された受信信号に含まれるリファレンス信号の受信状態から受信品質を測定する。ＣＱＩ測定部２０８により測定された各伝送路におけるＣＱＩ情報は、不図示の上り制御信号生成部に通知され、この上り制御信号生成部により生成された上り制御信号に含めて上りリンクで基地局１００に送出される。
【００４１】
このように実施の形態１に係る基地局１００において、ＭＣＳ選択部１０２は、ストリーム＃１ＣＱＩ、ストリーム＃２ＣＱＩの値に応じたストリーム＃１、＃２間の最適なＭＣＳの組み合わせを予め定めた２次元参照テーブル１０２１を備えておき、ＣＱＩ測定部１０１から入力されるストリーム＃１ＣＱＩ、ストリーム＃２ＣＱＩに応じて各ストリーム間で最適なＭＣＳの組み合わせを選択することから、各ストリームに最適なＭＣＳを一括的に選択することができるので、簡単に各ストリームに最適なＭＣＳを選択することが可能となる。この結果、移動局２００で送信された複数のシンボルを推定できずに送信データの再送が必要となる事態を回避できるので、システム全体のスループットを向上させることが可能となる。
【００４２】
特に、以上の説明においては、基地局１００と移動局２００との間において、２つのストリームで無線通信を行う場合について示しているが、３つ以上のストリームで無線通信を行う場合には、その効果がより顕著となる。一般に、３つ以上のストリームで無線通信を行う場合には、一まとめとされたシンボル群を構成するシンボル数が増加するため、そのシンボル群を明確に識別し、送信された複数のシンボルを適切に推定することが困難となる。しかしながら、本発明に係る基地局１００によれば、３つ以上のストリーム数に応じた複数次元参照テーブル１０２１を備えておき、ＣＱＩ測定部１０１から入力される複数ストリームの各ＣＱＩに応じて各ストリーム間で最適なＭＣＳの組み合わせを選択することにより、簡単に各ストリームに最適なＭＣＳを一括的に選択することが可能となる。
【００４３】
（実施の形態２）
本発明の実施の形態２に係る基地局３００は、ＭＣＳ選択部１０２に相当するＭＣＳ選択部３０２が備える２次元参照テーブル３０２１の構成において、実施の形態１に係る基地局１００と相違する。その他の基地局３００の構成、並びに、基地局３００と無線通信を行う移動局２００の構成については実施の形態１に係る基地局１００及び移動局２００と共通するため、その説明を省略する。
【００４４】
図４は、実施の形態２に係る基地局３００のＭＣＳ選択部３０２が備える２次元参照テーブル３０２１の一例を示す模式図である。図４においては、図３と同様に、変調方式がＱＰＳＫ及び１６ＱＡＭで構成され、符号化率が１／３、１／２及び３／４で構成されるＭＣＳ＃１〜＃６がストリーム＃１ＣＱＩ、ストリーム＃２ＣＱＩに応じて定められた場合について示しているが、変調方式及び符号化率についてはこれらに限定されるものではない。また、図４に示す２次元参照テーブル３０２１において、ＭＣＳ＃１〜＃６の変調方式及び符号化率の構成は、図３と同様である。
【００４５】
実施の形態２に係るＭＣＳ選択部３０２が備える２次元参照テーブル３０２１においては、ストリーム＃１、＃２のＣＱＩが相対的に低い一部の分割領域におけるＭＣＳの組み合わせを選択する際のＣＱＩの閾値を隣接するテーブル領域間で共通化している点で実施の形態１に係る２次元参照テーブル１０２１と相違する。具体的には、領域（１，１）〜（１，３）におけるストリーム＃１ＣＱＩの上限値と、領域（１，４）〜（１，６）におけるストリーム＃１ＣＱＩの上限値とを共通化している点、領域（２，１）〜（２，３）におけるストリーム＃１ＣＱＩの上限値と、領域（２，４）〜（２，６）におけるストリーム＃１ＣＱＩの上限値とを共通化している点において、実施の形態１に係る２次元参照テーブル１０２１と相違する。さらに、２次元参照テーブル３０２１においては、領域（１，１）〜（３，１）におけるストリーム＃２ＣＱＩの上限値と、領域（４，１）〜（６，１）におけるストリーム＃２ＣＱＩの上限値とを共通化している点、領域（１，２）〜（３，２）におけるストリーム＃２ＣＱＩの上限値と、領域（４，２）〜（６，２）におけるストリーム＃２ＣＱＩの上限値とを共通化している点において、実施の形態１に係る２次元参照テーブル１０２１と相違する。
【００４６】
図４に示す２次元参照テーブル３０２１においては、移動局２００における信号分離の際に、各ストリームに選択された変調方式が互いに依存し難い領域間において、言い換えると、送信された複数のシンボルを適切に推定できない事態が発生し難い領域間において、ストリーム＃１ＣＱＩ及びストリーム＃２ＣＱＩのしきい値を共通化している。例えば、領域（１，４）〜（１，６）でストリーム＃１のＭＣＳで指定されるＱＰＳＫのシンボルと、ストリーム＃２のＭＣＳで指定される１６ＱＡＭのシンボルとが一まとめとされたシンボル群については、移動局２００における信号分離の際に識別でき、送信された複数のシンボルを推定することが可能である。このため、実施の形態２に係る２次元参照テーブル３０２１においては、このように移動局２００における信号分離に支障を与えない領域間におけるストリーム＃１ＣＱＩ及びストリーム＃２ＣＱＩのしきい値を共通化し、２次元参照テーブル３０２１におけるストリーム＃１ＣＱＩ及びストリーム＃２ＣＱＩのしきい値の設定数を低減している。
【００４７】
このように実施の形態２に係る基地局３００においては、ストリーム＃１、＃２のＣＱＩが相対的に低い一部の分割領域におけるＭＣＳの組み合わせを選択する際のＣＱＩの閾値を隣接するテーブル領域間で共通化した２次元参照テーブル３０２１をＭＣＳ選択部３０２に備え、これに基づいて各ストリームに最適なＭＣＳを選択するようにしていることから、２次元参照テーブル３０２１におけるストリーム＃１ＣＱＩ及びストリーム＃２ＣＱＩの上限値の設定数を低減でき、２次元参照テーブル３０２１の作成の負荷を低減すると共に、移動局２００における信号分離の際の処理を低減することが可能となる。
【００４８】
（実施の形態３）
本発明の実施の形態３に係る基地局４００は、ＭＣＳ選択部１０２に相当するＭＣＳ選択部４０２が、無線通信に利用されるストリーム数に応じて設けられている点において、実施の形態１に係る基地局１００と相違する。その他の基地局４００の構成については、ストリーム数に応じてチャネル符号化部１０４、データ変調部１０５、ＩＦＦＴ部１０７、ＣＰ付与部１０８、ＲＦ回路１０９及びアンテナ１１０を備えるものであり、基本的に実施の形態１に係る基地局１００と共通するため、その相違点を中心に説明する。また、基地局４００と無線通信を行う移動局２００についても、ストリーム数に応じてアンテナ２０１、デュプレクサ２０２、ＲＦ受信回路２０３、ＦＦＴ部２０４、データ復調部２０６及びチャネル復号部２０７を備えるものであり、基本的に実施の形態１に係る移動局２００と共通するため、その説明を省略する。
【００４９】
図５は、実施の形態３に係る基地局４００の送信部の構成を示すブロック図である。図５に示す基地局４００の送信部においては、実施の形態１に係る基地局１００の送信部と異なり、３つ以上の送受信アンテナを備え、３つ以上の送受信アンテナを備える移動局２００と無線通信を行う態様について示している。特に、図５においては、Ｎ個（Ｎは、正の整数）の送受信アンテナを備える基地局４００について示している。なお、図５において、図１と共通する構成については、同一の符号を付与してその説明を省略する。
【００５０】
図５に示す基地局４００においては、Ｎ個のストリームに応じたＭＣＳ選択部４０２Ａ〜４０２Ｎを備えている。ＭＣＳ選択部４０２Ａ〜４０２Ｎには、それぞれ対応するストリームについてのＣＱＩが入力される。ここでは、ＭＣＳ選択部４０２Ａがストリーム＃１に対応し、ＭＣＳ選択部４０２Ｂがストリーム＃２に対応し、…、ＭＣＳ選択部４０２Ｎがストリーム＃Ｎに対応するものとする。従って、ＭＣＳ選択部４０２Ａにはストリーム＃１ＣＱＩが入力され、ＭＣＳ選択部４０２Ｂにはストリーム＃２ＣＱＩが入力され、…、ＭＣＳ選択部４０２Ｎにはストリーム＃ＮＣＱＩが入力される。
【００５１】
これらのＭＣＳ選択部４０２Ａ〜４０２ＮにＣＱＩを出力するＣＱＩ情報復号部４０１は、移動局２００からフィードバックされるストリーム＃１〜＃ＮについてのＣＱＩ（ストリーム＃１ＣＱＩ〜ストリーム＃ＮＣＱＩ）を復号し、昇順に並べてＭＣＳ選択部４０２Ａ〜４０２Ｎに出力する。ストリーム＃１〜＃ＮについてのＣＱＩを昇順に並べるのは、後述するように、他のストリームにおけるＭＣＳの選択を考慮する必要のない、ＣＱＩの値の小さいストリームからＭＣＳの選択を行うためである。なお、ここで、ＣＱＩの値は、説明の便宜上、ストリーム＃１ＣＱＩ、ストリーム＃２ＣＱＩ、…、ストリーム＃ＮＣＱＩの順に大きくなり、それぞれＭＣＳ選択部４０２Ａ〜４０２Ｎに入力されるものとする。
【００５２】
ＭＣＳ選択部４０２Ａは、最も小さいＣＱＩ（ここでは、ストリーム＃１ＣＱＩ）の値に応じて予め最適なＭＣＳを定めた１次元参照テーブル４０２１を１つ備え、ＣＱＩ測定部４０１から入力されるストリーム＃１ＣＱＩに応じてストリーム＃１に最適なＭＣＳ（ストリーム＃１ＭＣＳ）を選択する。そして、選択したストリーム＃１ＭＣＳをストリーム＃１に対応するチャネル符号化部１０４及びデータ変調部１０５に出力する。
【００５３】
ＭＣＳ選択部４０２Ｂは、ＭＣＳ選択部４０２Ａで選択されたＭＣＳの種別を前提とし、２番目に小さいＣＱＩ（ここでは、ストリーム＃２ＣＱＩ）の値に応じて予め最適なＭＣＳを定めた１次元参照テーブル４０２２を複数（図５においてはＸ個）備え、ＭＣＳ選択部４０２Ａから通知されるストリーム＃１ＭＣＳ、並びに、ＣＱＩ測定部４０１から入力されるストリーム＃２ＣＱＩに応じてストリーム＃２に最適なＭＣＳ（ストリーム＃２ＭＣＳ）を選択する。そして、選択したストリーム＃２ＭＣＳをストリーム＃２に対応するチャネル符号化部１０４及びデータ変調部１０５に出力する。
【００５４】
ＭＣＳ選択部４０２Ｎは、ＭＣＳ選択部４０２Ａ〜４０２（Ｎ−１）で選択されたＭＣＳの種別を前提とし、最も大きいＣＱＩ（ここでは、ストリーム＃ＮＣＱＩ）の値に応じて予め最適なＭＣＳを定めた１次元参照テーブル４０２ｎを複数（図５においてはＹ個）備え、ＭＣＳ選択部４０２Ａ〜４０２（Ｎ−１）から通知されるストリーム＃１ＭＣＳ〜ストリーム＃（Ｎ−１）ＭＣＳ、並びに、ＣＱＩ情報復号部４０１から入力されるストリーム＃ＮＣＱＩに応じてストリーム＃Ｎに最適なＭＣＳ（ストリーム＃ＮＭＣＳ）を選択する。そして、選択したストリーム＃ＮＭＣＳをストリーム＃Ｎに対応するチャネル符号化部１０４及びデータ変調部１０５に出力する。
【００５５】
実施の形態３に係る基地局４００において、ＭＣＳ選択部４０２におけるＭＣＳの選択は、ＣＱＩ情報復号部４０１で復号されたＣＱＩの小さいストリームから行われる。このようにＣＱＩの小さいストリームからＭＣＳを選択するのは，他ストリームの変調方式が自ストリームの変調方式と同じかそれよりも多値の変調方式である場合は，他ストリームの変調方式によらず、ＣＱＩに対する受信品質（誤り率）特性がほぼ一致するので、ＣＱＩの大きい他のストリームのＭＣＳとの依存関係を考慮することなくＭＣＳの選択処理を行うことが可能となる。そして、先行して選択されたＭＣＳは、後続するＭＣＳ選択部４０２におけるＭＣＳの選択の際に利用される。上述の例においては、ＭＣＳ選択部４０２Ａにおいて、まずストリーム＃１ＭＣＳが選択され、次に、ＭＣＳ選択部４０２Ｂにおいて、このストリーム＃１ＭＣＳを利用してストリーム＃２ＭＣＳが選択される。このように先行して選択されたＭＣＳを、後続するＭＣＳ選択部４０２におけるＭＣＳの選択の際に利用することにより、後続するＭＣＳを選択する際の選択肢の数を低減でき、ＭＣＳの選択に要する処理を簡素化できるものとなっている。
【００５６】
なお、ＭＣＳ選択部４０２Ａ〜４０２Ｎから対応するストリーム＃１ＭＣＳ〜ストリーム＃ＮＭＣＳを受け取ったチャネル符号化部１０４及びデータ変調部１０５においては、上位局装置からの送信データをストリーム＃１ＭＣＳ〜ストリーム＃ＮＭＣＳで指定された符号化率及び変調方式に応じてチャネル符号化及びデータ変調を行う。これにより、移動局２００からのＣＱＩを反映すると共に、互いに依存しない変調方式にてデータ変調が行われるので、移動局２００で送信された複数のシンボルを推定できずに送信データの再送が必要となる事態を回避できるので、システム全体のスループットを向上させることが可能となる。
【００５７】
また、これらのＭＣＳ選択部４０２Ａ〜４０２Ｎで選択されたストリーム＃１ＭＣＳ〜ストリーム＃ＮＭＣＳは、下り制御信号生成部に通知され、この下り制御信号生成部により生成された下り制御信号に含めて下りリンクで移動局２００に通知されるものとなっている。これらのストリーム＃１ＭＣＳ〜ストリーム＃ＮＭＣＳは、移動局２００において、ストリーム＃１〜＃Ｎに関する受信信号に対するデータ復調及びチャネル復号に用いられることとなる。
【００５８】
なお、図５に示す基地局４００の送信部の構成においては、ストリーム数Ｎに応じたＮ個のＭＣＳ選択部４０２Ａ〜４０２Ｎを備え、各ＭＣＳ選択部４０２Ａ〜４０２Ｎに１又は複数の１次元参照テーブル４０２１〜４０２ｎを有する場合について示しているが、上述したようなＮ個のＭＣＳ選択部４０２Ａ〜４０２Ｎの機能を実現することができることを前提として、単一のＭＣＳ選択部４０２でこれを実現するようにしても良い。この場合には、ＣＱＩ情報復号部４０１で復号された各ストリームのＣＱＩを昇順に並べる処理を行う必要はなく、ＭＣＳ選択部４０２で並べる処理を行うようにしても良い。
【００５９】
ここで、実施の形態３に係る基地局４００のＭＣＳ選択部４０２が備える１次元参照テーブルの内容について図６及び図７を用いて説明する。図６及び図７は、実施の形態３に係る基地局４００のＭＣＳ選択部４０２が備える１次元参照テーブルの内容を説明するための模式図である。図６においては、２つのストリームを用いて無線通信が行われる場合について示し、図７においては、３つのストリームを用いて無線通信が行われる場合について示している。なお、図６及び図７においては、ストリーム＃１ＣＱＩ、ストリーム＃２ＣＱＩ及びストリーム＃３ＣＱＩを、それぞれＣＱＩ１、ＣＱＩ２及びＣＱＩ３と示している。
【００６０】
また、図６及び図７においては、図３、図４と同様に、変調方式がＱＰＳＫ及び１６ＱＡＭで構成され、符号化率が１／３、１／２及び３／４で構成されるＭＣＳ＃１〜＃６がＣＱＩに応じて定められる場合について示しているが、変調方式及び符号化率についてはこれらに限定されるものではない。また、図６及び図７に示す１次元参照テーブルにおいて、ＭＣＳ＃１〜＃６の変調方式及び符号化率の構成は、図３、図４と同様である。
【００６１】
図６（ａ）は、ＭＣＳ選択部４０２Ａの１次元参照テーブル４０２１の一例を示している。図６（ａ）に示す１次元参照テーブル４０２１においては、ストリーム＃１ＣＱＩの値に応じてＭＣＳ＃１〜＃６が定められている。図６（ａ）に示す１次元参照テーブル４０２１によれば、ストリーム＃１ＣＱＩの値がＣＱＩｄより小さい場合には、変調方式がＱＰＳＫであるＭＣＳ＃１〜＃３が選択され、ストリーム＃１ＣＱＩの値がＣＱＩｄ以上である場合には、変調方式が１６ＱＡＭであるＭＣＳ＃４〜＃６が選択されることとなる。
【００６２】
図６（ｂ）及び図６（ｃ）は、ＭＣＳ選択部４０２Ｂの１次元参照テーブル４０２２の一例を示している。図６（ｂ）においては、ストリーム＃１ＭＣＳとして、ＱＰＳＫを含むＭＣＳ＃１〜＃３が選択された場合に参照される１次元参照テーブル４０２２を示し、図６（ｃ）においては、ストリーム＃１ＭＣＳとして、１６ＱＡＭを含むＭＣＳ＃４〜＃６が選択された場合に参照される１次元参照テーブル４０２２を示している。
【００６３】
図６（ｂ）に示す１次元参照テーブル４０２２においては、ストリーム＃２ＣＱＩの値に応じてＭＣＳ＃１〜＃６が定められている。図６（ｂ）に示す１次元参照テーブル４０２２によれば、ストリーム＃２ＣＱＩの値がＣＱＩｄ´より小さい場合には、変調方式がＱＰＳＫであるＭＣＳ＃１〜＃３が選択され、ストリーム＃２ＣＱＩの値がＣＱＩｄ´以上である場合には、変調方式が１６ＱＡＭであるＭＣＳ＃４〜＃６が選択されることとなる。
【００６４】
なお、図６（ｂ）に示すＣＱＩｄ´、ＣＱＩｅ´、ＣＱＩｆ´、ＣＱＩｇ´は、それぞれ図６（ａ）に示すＣＱＩｄ、ＣＱＩｅ、ＣＱＩｆ、ＣＱＩｇよりも小さい値に設定されている。これは、ストリーム＃２ＣＱＩの値がストリーム＃１ＣＱＩよりも大きく、ストリーム＃１と同じ変調方式か、それよりも高い変調方式が選択されることを前提とする一方、ストリーム＃１でＱＰＳＫが選択されていることから、ストリーム＃１に比べて積極的に１６ＱＡＭを選択する余地が広がるためである。
【００６５】
一方、図６（ｃ）に示す１次元参照テーブル４０２２においては、ストリーム＃２ＣＱＩの値に応じてＭＣＳ＃４〜＃６が定められている。図６（ｃ）に示す１次元参照テーブル４０２２によれば、ストリーム＃２ＣＱＩの値がＣＱＩｄ以上である場合には、変調方式が１６ＱＡＭであるＭＣＳ＃４〜＃６が選択される。この場合においては、ストリーム＃１ＭＣＳとして１６ＱＡＭを含むＭＣＳ＃４〜＃６のいずれかが選択されていることから、これよりも低い変調方式であるＱＰＳＫを含むＭＣＳ＃１〜＃３に関するテーブルを作成しておく必要はない。このように先行して選択されたＭＣＳの種別に応じて選択し得ない変調方式を含むＭＣＳに関するテーブルを省略することで１次元テーブル４０２２の内容を簡素化できるものとなっている。
【００６６】
また、図７（ａ）〜図７（ｃ）の内容は、図６（ａ）〜図６（ｃ）の内容と同一である。図７（ｄ）〜図７（ｆ）は、ＭＣＳ選択部４０２Ｃの１次元参照テーブル４０２３の一例を示している。図７（ｄ）においては、ストリーム＃１ＭＣＳ及びストリーム＃２ＭＣＳとして、共にＱＰＳＫを含むＭＣＳ＃１〜＃３が選択された場合に参照される１次元参照テーブル４０２３を示している。図７（ｅ）においては、ストリーム＃１ＭＣＳとしてＱＰＳＫを含むＭＣＳ＃１〜＃３が選択される一方、ストリーム＃２ＭＣＳとして１６ＱＡＭを含むＭＣＳ＃４〜＃６が選択された場合に参照される１次元参照テーブル４０２３を示している。図７（ｆ）においては、ストリーム＃１ＭＣＳ及びストリーム＃２ＭＣＳとして、共に１６ＱＡＭを含むＭＣＳ＃４〜＃６が選択された場合に参照される１次元参照テーブル４０２３を示している。
【００６７】
図７（ｄ）に示す１次元参照テーブル４０２３においては、ストリーム＃３ＣＱＩの値に応じてＭＣＳ＃１〜＃６が定められている。図７（ｄ）に示す１次元参照テーブル４０２３によれば、ストリーム＃３ＣＱＩの値がＣＱＩｄ´´より小さい場合には、変調方式がＱＰＳＫであるＭＣＳ＃１〜＃３が選択され、ストリーム＃３ＣＱＩの値がＣＱＩｄ´´以上である場合には、変調方式が１６ＱＡＭであるＭＣＳ＃４〜＃６が選択される。なお、図７（ｄ）に示すＣＱＩｄ´´、ＣＱＩｅ´´、ＣＱＩｆ´´、ＣＱＩｇ´´は、それぞれ図７（ｂ）に示すＣＱＩｄ´、ＣＱＩｅ´、ＣＱＩｆ´、ＣＱＩｇ´よりも小さい値に設定されている。
【００６８】
図７（ｅ）に示す１次元参照テーブル４０２３においては、ストリーム＃３ＣＱＩの値に応じてＭＣＳ＃４〜＃６が定められている。図７（ｅ）に示す１次元参照テーブル４０２３によれば、ストリーム＃３ＣＱＩの値がＣＱＩｄ´以上である場合には、変調方式が１６ＱＡＭであるＭＣＳ＃４〜＃６が選択される。この場合においては、ストリーム＃２ＭＣＳとして１６ＱＡＭを含むＭＣＳ＃４〜＃６のいずれかが選択されていることから、図７（ｃ）と同様に、ＱＰＳＫを含むＭＣＳ＃１〜＃３に関するテーブルを作成しておく必要はない。
【００６９】
図７（ｆ）に示す１次元参照テーブル４０２３においては、ストリーム＃３ＣＱＩの値に応じてＭＣＳ＃４〜＃６が定められている。図７（ｆ）に示す１次元参照テーブル４０２３によれば、ストリーム＃３ＣＱＩの値がＣＱＩｄ以上である場合には、変調方式が１６ＱＡＭであるＭＣＳ＃４〜＃６が選択される。この場合においても、ストリーム＃２ＭＣＳとして１６ＱＡＭを含むＭＣＳ＃４〜＃６のいずれかが選択されていることから、図７（ｃ）及び図７（ｅ）と同様に、ＱＰＳＫを含むＭＣＳ＃１〜＃３に関するテーブルを作成しておく必要はない。このように先行して選択されたＭＣＳの種別に応じて選択し得ない変調方式を含むＭＣＳに関するテーブルを省略することで１次元テーブル４０２３の内容を簡素化できるものとなっている。
【００７０】
このように実施の形態３に係る基地局４００においては、各ストリームのＣＱＩに応じたＭＣＳを定めた１次元テーブルに基づいて、ＣＱＩ情報復号部４０１で復号されたＣＱＩの小さいストリームからＭＣＳの選択を行うことから、ＣＱＩが大きい他のストリームのＭＣＳとの依存関係を考慮することなくＭＣＳの選択処理を行うことができるので、そのような依存会計を考慮する場合と比較して簡単に各送信ストリームに最適な変調・符号化方式を選択することが可能となる。
【００７１】
特に、実施の形態３に係る基地局４００においては、先行して選択したストリームのＭＣＳと、ＣＱＩ情報復号部４０１で復号されたＣＱＩとに応じて後続するストリームのＭＣＳを選択することから、後続するＭＣＳを選択する際の選択肢（１次元テーブル上の選択肢）の数を低減でき、ＭＣＳの選択に要する処理を簡素化することが可能となる。
【００７２】
また、実施の形態３に係る基地局４００においては、先行するＭＣＳ選択部４０２（例えば、ＭＣＳ選択部４０２Ａ）で先行して選択したストリームのＭＣＳの種別に応じたＭＣＳを定めた複数の１次元テーブルを後続するＭＣＳ選択部４０２（例えば、ＭＣＳ選択部４０２Ｂ）が有し、先行して選択したストリームのＭＣＳの種別に応じて１次元テーブルを選択して後続するストリームのＭＣＳを選択することから、選択し得ないＭＣＳに関する情報を１次元テーブルから省略することができるので、１次元参照テーブルの内容を簡素化でき、１次元参照テーブルの作成の負荷を低減すると共に、移動局２００における信号分離の際の処理を低減することが可能となる。
【００７３】
本発明は上記実施の形態に限定されず、種々変更して実施することが可能である。例えば、上記実施の形態においては、共有データについて、送信側でインターリーブして送信し、受信側でインターリーブする場合について説明しているが、本発明はこれに限定されず、共有データについてインターリーブしない場合にも同様に適用することができる。また、本発明の範囲を逸脱しない限りにおいて、上記説明におけるデータブロック割り当てパターン、処理部の数、処理手順、コンポーネントキャリアの数やデータブロックの数、データブロック範囲については適宜変更して実施することが可能である。その他、本発明の範囲を逸脱しないで適宜変更して実施することが可能である。
【符号の説明】
【００７４】
１００、３００、４００  無線基地局装置（基地局）
１０１、４０１  ＣＱＩ情報復号部
１０２、３０２、４０２  ＭＣＳ選択部
１０２１、３０２１  ２次元参照テーブル
４０２１〜４０２ｎ  １次元参照テーブル
１０３  スケジューラ
１０４  チャネル符号化部
１０５  データ変調部
１０６  サブキャリアマッピング部
１０７  ＩＦＦＴ部
１０８  ＣＰ付与部
１０９  ＲＦ回路
１１０  アンテナ
２００  移動局装置（移動局）
２０１  アンテナ
２０２  デュプレクサ
２０３  ＲＦ受信回路
２０４  ＦＦＴ部
２０５  信号分離部
２０６  データ復調部
２０７  チャネル復号部
２０８  ＣＱＩ測定部
２０９  受信タイミング推定部
【図１】
2010200218.tif 000003
【図２】
2010200218.tif 000004
【図３】
2010200218.tif 000005
【図４】
2010200218.tif 000006
【図５】
2010200218.tif 000007
【図６】
2010200218.tif 000008
【図７】
2010200218.tif 000009
【手続補正書】
【提出日】平成22年1月27日(2010.1.27)
【手続補正１】
【補正対象書類名】明細書
【補正対象項目名】００１８
【補正方法】変更
【補正の内容】
【００１８】
図１に示す基地局１００において、受信信号に含まれたリファレンス信号（参照信号）は、復号手段として機能するＣＱＩ情報復号部１０１に入力される。ＣＱＩ情報復号部１０１は、移動局２００にて広帯域の品質測定用リファレンス信号から測定された下り送信ストリーム（以下、単に「ストリーム」という）についてのＣＱＩを復号する。この場合、ＣＱＩ情報復号部１０１は、移動局２００からのフィードバックされるストリーム＃１、＃２についてのＣＱＩ（ストリーム＃１ＣＱＩ、ストリーム＃２ＣＱＩ）を復号し、ＭＣＳ選択部１０２及びスケジューラ１０３に出力する。
【手続補正２】
【補正対象書類名】明細書
【補正対象項目名】００４１
【補正方法】変更
【補正の内容】
【００４１】
このように実施の形態１に係る基地局１００において、ＭＣＳ選択部１０２は、ストリーム＃１ＣＱＩ、ストリーム＃２ＣＱＩの値に応じたストリーム＃１、＃２間の最適なＭＣＳの組み合わせを予め定めた２次元参照テーブル１０２１を備えておき、ＣＱＩ情報復号部１０１から入力されるストリーム＃１ＣＱＩ、ストリーム＃２ＣＱＩに応じて各ストリーム間で最適なＭＣＳの組み合わせを選択することから、各ストリームに最適なＭＣＳを一括的に選択することができるので、簡単に各ストリームに最適なＭＣＳを選択することが可能となる。この結果、移動局２００で送信された複数のシンボルを推定できずに送信データの再送が必要となる事態を回避できるので、システム全体のスループットを向上させることが可能となる。
【手続補正３】
【補正対象書類名】明細書
【補正対象項目名】００４２
【補正方法】変更
【補正の内容】
【００４２】
特に、以上の説明においては、基地局１００と移動局２００との間において、２つのストリームで無線通信を行う場合について示しているが、３つ以上のストリームで無線通信を行う場合には、その効果がより顕著となる。一般に、３つ以上のストリームで無線通信を行う場合には、一まとめとされたシンボル群を構成するシンボル数が増加するため、そのシンボル群を明確に識別し、送信された複数のシンボルを適切に推定することが困難となる。しかしながら、本発明に係る基地局１００によれば、３つ以上のストリーム数に応じた複数次元参照テーブル１０２１を備えておき、ＣＱＩ情報復号部１０１から入力される複数ストリームの各ＣＱＩに応じて各ストリーム間で最適なＭＣＳの組み合わせを選択することにより、簡単に各ストリームに最適なＭＣＳを一括的に選択することが可能となる。
【手続補正４】
【補正対象書類名】明細書
【補正対象項目名】００５２
【補正方法】変更
【補正の内容】
【００５２】
ＭＣＳ選択部４０２Ａは、最も小さいＣＱＩ（ここでは、ストリーム＃１ＣＱＩ）の値に応じて予め最適なＭＣＳを定めた１次元参照テーブル４０２１を１つ備え、ＣＱＩ情報復号部４０１から入力されるストリーム＃１ＣＱＩに応じてストリーム＃１に最適なＭＣＳ（ストリーム＃１ＭＣＳ）を選択する。そして、選択したストリーム＃１ＭＣＳをストリーム＃１に対応するチャネル符号化部１０４及びデータ変調部１０５に出力する。
【手続補正５】
【補正対象書類名】明細書
【補正対象項目名】００５３
【補正方法】変更
【補正の内容】
【００５３】
ＭＣＳ選択部４０２Ｂは、ＭＣＳ選択部４０２Ａで選択されたＭＣＳの種別を前提とし、２番目に小さいＣＱＩ（ここでは、ストリーム＃２ＣＱＩ）の値に応じて予め最適なＭＣＳを定めた１次元参照テーブル４０２２を複数（図５においてはＸ個）備え、ＭＣＳ選択部４０２Ａから通知されるストリーム＃１ＭＣＳ、並びに、ＣＱＩ情報復号部４０１から入力されるストリーム＃２ＣＱＩに応じてストリーム＃２に最適なＭＣＳ（ストリーム＃２ＭＣＳ）を選択する。そして、選択したストリーム＃２ＭＣＳをストリーム＃２に対応するチャネル符号化部１０４及びデータ変調部１０５に出力する。
【手続補正６】
【補正対象書類名】明細書
【補正対象項目名】００５５
【補正方法】変更
【補正の内容】
【００５５】
実施の形態３に係る基地局４００において、ＭＣＳ選択部４０２におけるＭＣＳの選択は、ＣＱＩ情報復号部４０１で復号されたＣＱＩの小さいストリームから行われる。このようにＣＱＩの小さいストリームからＭＣＳを選択することにより、他ストリームの変調方式が自ストリームの変調方式と同じかそれよりも多値の変調方式である場合は、他ストリームの変調方式によらず、ＣＱＩに対する受信品質（誤り率）特性がほぼ一致するので、ＣＱＩの大きい他のストリームのＭＣＳとの依存関係を考慮することなくＭＣＳの選択処理を行うことが可能となる。そして、先行して選択されたＭＣＳは、後続するＭＣＳ選択部４０２におけるＭＣＳの選択の際に利用される。上述の例においては、ＭＣＳ選択部４０２Ａにおいて、まずストリーム＃１ＭＣＳが選択され、次に、ＭＣＳ選択部４０２Ｂにおいて、このストリーム＃１ＭＣＳを利用してストリーム＃２ＭＣＳが選択される。このように先行して選択されたＭＣＳを、後続するＭＣＳ選択部４０２におけるＭＣＳの選択の際に利用することにより、後続するＭＣＳを選択する際の選択肢の数を低減でき、ＭＣＳの選択に要する処理を簡素化できるものとなっている。